(57)【要約】【課題】膜状の水流が広範囲で吐水され、リラックス効果の高い吐水装置及び浴槽装置を提供する。【解決手段】本発明の吐水装置（１）は、給水路と、前記給水路から供給された水を吐水するスリット状の吐水口（２）と、前記給水路と前記吐水口との間に設けられ、膜状の水流を前記吐水口から吐水させる膜状水形成機構と、を備え、前記吐水口が浴槽（１０１）の上縁部の形状に沿ってて形成されて、前記膜状水形成機構により前記吐水口から平面視略Ｕ字型の膜状の水流が吐水可能に構成されていることを特徴とする。【選択図】図２
2019170799.tif 000002
【特許請求の範囲】
【請求項１】
給水路と、
前記給水路から供給された水を吐水するスリット状の吐水口と、
前記給水路と前記吐水口との間に設けられ、膜状の水流を前記吐水口から吐水させる膜状水形成機構と、を備え、
前記吐水口が浴槽の上縁部の形状に沿って形成されて、前記膜状水形成機構により前記吐水口から平面視略Ｕ字型の膜状の水流が吐水可能に構成されていることを特徴とする吐水装置。
【請求項２】
前記吐水口は、第一方向に延びる第一吐水口と、
前記第一吐水口の幅方向の一端部から前記第一方向と交差する第二方向に沿って配置される第二吐水口と、
前記第一吐水口の幅方向の他端部から前記第一方向と交差する第三方向に沿って配置される第三吐水口と、を備え、
前記第二吐水口と前記第三吐水口とは、互いに向き合う方向に開口している請求項１に記載の吐水装置。
【請求項３】
前記吐水口は、平面視において、幅方向における前記吐水口の端部間の最大離間距離と、奥行方向における寸法との比が１：０．１５〜０．７である請求項１または請求項２に記載の吐水装置。
【請求項４】
上縁部にフランジを備える浴槽と、
前記フランジ上に載置される請求項１から請求項３のいずれか一項に記載の吐水装置と、を備え、
前記吐水口が前記浴槽の前記上縁部に沿って配置されて、前記吐水口から平面視略Ｕ字型の膜状の水流が吐水されることを特徴とする浴槽装置。
【発明の詳細な説明】
【技術分野】
【０００１】
本発明は、吐水装置及び浴槽装置に関する。
【背景技術】
【０００２】
膜状の水流を吐水する吐水装置が知られている（例えば、特許文献１、特許文献２）。このような吐水装置を浴槽に設置すると、膜状の水流が浴槽内に流れ落ちる。入浴者が吐水装置の下方の浴槽に背を当てて入浴すると、入浴者の肩に水流が掛かり、リラックス効果が得られる。また、膜状の水流が浴槽内に流れ落ちると美観に優れ、付加価値の高いバスルームが提供できる。
【先行技術文献】
【特許文献】
【０００３】
【特許文献１】特許第４０６６４５９号公報
【特許文献２】特開２００２-１５３３９１号公報
【発明の概要】
【発明が解決しようとする課題】
【０００４】
従来の浴槽用の吐水装置は、入浴者の首周辺や肩に膜状の水流が掛かるように構成されているが、リラックス効果を更に高めるため、より広範囲に膜状の水流が吐水されることが望まれている。特許文献１の吐水装置では、給水側から吐水側に向かって吐水方向に水を流しながら徐々に水流を横長方向に広げて水流を形成している。このため、水流を横長方向に広げるために吐水方向への流路が長く必要であり装置が大型化する。一方、吐水方向への流路が短いと、水流を横長方向に広げられず吐水幅が狭くなる。
【０００５】
また、特許文献１の吐水装置は、吐水口が浴槽の縁部から浴槽の内側に突出している。このため、吐水口の突出部分が入浴者の首等に当たり、入浴者が浴槽に背を当ててリラックスした体勢で水流を浴びることが出来ず入浴し難い。
【０００６】
特許文献２には、打たせ湯機能付き浴槽が開示され、複数の噴出口から高圧の湯水を噴出させて、湯水が入浴者の首、肩、腕の広範囲に直接噴射されてマッサージ効果を得ることが開示されている。特許文献２の浴槽では、湯水を高圧で噴出させ、入浴者にピンポイントで高水圧の噴射水を当てて強い刺激でマッサージ効果を得るものである。このため、入浴者は噴射口から背を離間させて入浴する必要があり、浴槽の壁面にもたれ掛かりリラックスした状態で長時間入浴するには不向きである。
【０００７】
上記事情を踏まえ、本発明は、膜状の水流が広範囲で吐水され、リラックス効果の高い吐水装置及び浴槽装置を提供することを目的とする。
【課題を解決するための手段】
【０００８】
本発明に係る吐水装置は、給水路と、前記給水路から供給された水を吐水するスリット状の吐水口と、前記給水路と前記吐水口との間に設けられ、膜状の水流を前記吐水口から吐水させる膜状水形成機構と、を備え、前記吐水口が浴槽の上縁部の形状に沿って形成されて、前記膜状水形成機構により前記吐水口から平面視略Ｕ字型の膜状の水流が吐水可能に構成されていることを特徴とする。
【０００９】
この発明によれば、吐水口が浴槽の上縁部の形状に沿って形成されており、膜状水形成機構により吐水口から平面視略Ｕ字型の膜状の水流が吐水される。この結果、膜状の水流が広範囲で吐水され、リラックス効果の高い吐水装置及び浴槽装置を提供できる。
【００１０】
本発明に係る吐水装置では、前記吐水口は、第一方向に延びる第一吐水口と、前記第一吐水口の幅方向の一端部から前記第一方向と交差する第二方向に沿って配置される第二吐水口と、前記第一吐水口の幅方向の他端部から前記第一方向と交差する第三方向に沿って配置される第三吐水口と、を備え、前記第二吐水口と前記第三吐水口とは、互いに向き合う方向に開口していてもよい。
【００１１】
この発明によれば、第一方向に延びる第一吐水口の幅方向の両端部から、第一方向と交差する方向に延びる第二吐水口及び第三吐水口が互いに向き合う方向に開口しているため、平面視略Ｕ字型の膜状の水流が広範囲で吐水される。
【００１２】
本発明に係る吐水装置では、前記吐水口は、平面視において、幅方向における前記吐水口の端部間の最大離間距離と、奥行方向における寸法との比が１：０．１５〜０．７であってもよい。
【００１３】
この発明によれば、吐水口から吐水される平面視略Ｕ字型の膜状の水流が、幅方向に対して奥行方向が十分に長く、入浴者の肩から腕にかけて十分に膜状の水流をかけることができる。
【００１４】
本発明に係る浴槽装置では、上縁部にフランジを備える浴槽と、前記フランジ上に載置される上述の吐水装置と、を備え、前記吐水口が前記浴槽の前記上縁部に沿って配置されて、前記吐水口から平面視略Ｕ字型の膜状の水流が吐水されることを特徴とする。
【００１５】
この発明によれば、膜状の水流が浴槽の上縁部から広範囲で平面視略Ｕ字状に吐出される。特に、入浴者の首から肩の全域ならびに肩から腕に対して吐水口から膜状の水流が掛けることができる。
【発明の効果】
【００１６】
本発明によれば、膜状の水流が広範囲で吐水され、リラックス効果の高い吐水装置及び浴槽装置を提供することを目的とする。
【図面の簡単な説明】
【００１７】
【図１】本発明の一実施形態に係る吐水装置の一例を示す平面図である。
【図２】本発明の一実施形態に係る吐水装置の一例を示す斜視図である。
【図３】本発明の一実施形態に係る吐水装置の給水系を模式的に示す構成図である。
【図４】本発明の一実施形態に係る吐水装置の内部構造を示す縦断面図である。
【図５】本発明の一実施形態の膜状水形成機構の構成を模式的に示す縦断面図である。
【図６】本発明の一実施形態の膜状水形成機構の位置を示す平面図である。
【図７】本発明の一実施形態の膜状水形成機構の位置の変形例を示す平面図である。
【図８】本発明の一実施形態の吐水装置の変形例を示す平面図である。
【発明を実施するための形態】
【００１８】
以下、本発明の一実施形態に係る吐水装置について図面を用いて説明する。
図１は本実施形態に係る吐水装置１を備える浴槽装置１００を示す平面図である。図２は、本実施形態に係る吐水装置１を示す斜視図である。以下、適宜ＸＹＺ直交座標系に基づき説明する。
【００１９】
図１に示すように、浴槽装置１００は、湯または水（以下、単に「湯」と記載する。）が溜まる浴槽本体１０１と、フランジ１０２とを備える。浴槽本体１０１は平面視略長方形状を有する。フランジ１０２は、浴槽本体１０１の上端である上縁部から外側に略水平方向に延び、外周縁部が平面視略長方形状を有する。
【００２０】
図１に示すように、Ｘ方向に沿う浴槽本体１０１の２つの短辺のうちの一辺である第一辺１０１１側の第一内壁１０３は、浴槽本体１０１の底部１０８からフランジ１０２に向かって外側に傾斜して形成されている。本実施形態に係る浴槽装置１００では、第一内壁１０３に入浴者が背を向けて入浴するように設定されている。第一内壁１０３は、入浴者が第一内壁１０３に背を当てて入浴した場合に、入浴者がリラックスできるような傾斜角度に設定されている。
【００２１】
浴槽本体１０１は、第一内壁１０３のＸ方向の両端部から略直交してＹ方向（第二方向、第三方向）に延びる第二内壁１０４及び第三内壁１０５を備える。第二辺１０１２及び第三辺１０１３は、浴槽本体１０１の長辺である。
【００２２】
図１に示すように、本実施形態に係る吐水装置１は、浴槽本体１０１の上部に設けられている。吐水装置１は、後述する吐水口２から浴槽本体１０１内に向かって膜状の水流Ｗが吐水される装置である。吐水装置１は、平面視略Ｕ字形状の内側側面１０が浴槽本体１０１の上縁部に沿って配置され、フランジ１０２上に載置されている。
【００２３】
本実施形態に係る吐水装置１は、吐水口２と、給水路４と、膜状水形成機構３と、カバー部材５とを備える。
図２に示すように、吐水装置１は、第一内壁１０３側にＸ方向（第一方向）に延びる第一辺部１１と、第一辺部１１のＸ方向の両端部からＹ方向（第二方向、第三方向）に延びる第二辺部１２及び第三辺部１３とを備え、平面視略Ｕ字型の形状を有する。具体的には、浴槽本体１０１の第一内壁１０３の上端の第一辺１０１１近傍のフランジ１０２上に第一辺部１１が配置されている。第二内壁１０４の一部の上端の第二辺１０１２近傍のフランジ１０２上に第二辺部１２が配置されている。第三内壁１０５（図１参照）の一部の上端の第三辺１０１３近傍のフランジ１０２上に第三辺部１３が配置されている。第二辺部１２と第三辺部１３とは略平行に延設されている。
【００２４】
吐水口２は、浴槽本体１０１の上縁部の形状に沿って形成されている。上縁部は浴槽本体１０１とフランジ１０２との境界部分である。本実施形態では、平面視略長方形状を有する。そのため、吐水口２は、第一辺部１１と第二辺部１２と第三辺部１３とにより形成される略Ｕ字形状の内側側面１０に水平方向に延びるスリット状の開口である。吐水口２は、三方向に延びて形成されている。内側側面１０における第一辺部１１のＸ方向（第一方向）の全長に第一吐水口２１が形成されている。第二辺部１２には、内側側面１０にＹ方向に延びる第二吐水口２２が形成されている。第三辺部１３には、内側側面１０にＹ方向に延びる第三吐水口２３（図６参照）が形成されている。第一吐水口２１、第二吐水口２２、及び第三吐水口２３は、内側側面１０に連続して形成されている。
【００２５】
吐水口２の平面視形状が略Ｕ字型とは、第一吐水口２１の開口する向きと異なる向きに第二吐水口２２と第三吐水口２３とが開口していればよい。例えば、第一吐水口２１と第二吐水口２２と第三吐水口２３とで形成される平面視形状がＣ字型、矩形、円弧形状である場合を含む。
【００２６】
図１に示すように、吐水口２の第一吐水口２１は第二吐水口２２及び第三吐水口２３より長い。ここで、平面視において、入浴者が背を当てて入浴する第一内壁１０３が延びる短辺方向（図１に示すＸ方向）を幅方向と称する。幅方向に直交する方向（図１に示すＸ方向）を奥行方向と称する。吐水口２は、幅方向における吐水口２２,２３の端部間の最大離間距離Ｌ１と奥行方向における寸法Ｌ２，Ｌ３との比がＬ１：Ｌ２（Ｌ３）＝１：０．１５〜０．７である。本実施形態では、第二吐水口２２と第三吐水口２３とは同じ寸法で形成されているため奥行方向の寸法Ｌ２と寸法Ｌ３とは等しい。例えば、最大離間距離Ｌ１が８００ｍｍであり、寸法Ｌ２，Ｌ３が４００ｍｍである。
【００２７】
最大離間距離Ｌ１は、第二吐水口２２と第三吐水口２３との幅方向における離間距離の最大値である。本実施形態では、平面視略長方形の浴槽本体１０１の上縁部の形状に沿って吐水口２が設けられている。そのため、第二吐水口２２と第三吐水口２３との離間距離は等しい。
【００２８】
吐水口２は、幅方向における吐水口２２，２３の端部間の最大離間距離Ｌ１と、奥行方向における寸法Ｌ２，Ｌ３と、の比がＬ１：Ｌ２（Ｌ３）＝１：０．１５〜０．７の範囲であると、第二吐水口２２及び第三吐水口２３から入浴者の腕に十分に膜状の水流が吐水できる。なお、第二吐水口２２及び第三吐水口２３のＹ方向の長さは、浴槽本体１０１の第二辺１０１２及び第三辺１０１３と略等しい長さであってもよい。
【００２９】
なお、浴槽本体１０１の平面視形状が矩形でない場合がある。例えば、図８に示す変形例のように、浴槽本体１０１Ａが平面視で略長丸円形状の場合がある。図８に示す浴槽本体１０１Ａの場合、第一内壁１０３Ａが、幅方向（図８に示すＸ方向）の中央部から第二内壁１０４Ａ及び第三内壁１０５Ａ側に向かって湾曲して形成されている。そのため、吐水装置１Ａの吐水口２Ａも浴槽本体１０１Ａの各辺１０１１Ａ、１０１２Ａ，１０１３Ａの上縁部の形状に倣って湾曲して形成されている。この場合、第二吐水口２２と第三吐水口２３との間の最大離間距離Ｌ１は、奥行方向（図８に示すＹ方向）における第二吐水口２２及び第三吐水口２３の第一吐水口２１側とは反対側の端部２２ｅ，２３ｅ間の離間距離である。平面視において、第一内壁１０３の幅方向の中央部が最も窪んでいる位置になるため、奥行方向における寸法Ｌ２，Ｌ３は、第一吐水口２１の幅方向の中央部の点Ｍと、第二吐水口２２または第三吐水口２３の端部２２ｅ，２３ｅとの奥行方向の長さである。
【００３０】
図１に示す実施形態の説明に戻る。図２に示す第一辺部１１、第二辺部１２、及び第三辺部１３の内部には、膜状水形成機構３が配設されており、フランジ１０２の下方に設けられる給水路４と接続されている。膜状水形成機構３は、給水路４から供給された湯を膜状の水流Ｗとして吐水口２から吐水させる機構である。膜状水形成機構３は、スリット状の吐水口２に沿って設けられている。
【００３１】
図３は、吐水装置１の給水系を模式的に示す構成図である。図３に示すように、給水路４は、浴槽本体１０１の循環口１０７（図１参照）と膜状水形成機構３とに接続されている。給水路４には、ポンプＰを備え、浴槽本体１０１内に溜められる湯が給水路４を介して膜状水形成機構３側に供給される。したがって、給水路４、膜状水形成機構３、及び吐水口２を介して、浴槽本体１０１内に溜められる湯が循環する。
【００３２】
図４は、本実施形態に係る吐水装置１の内部構造を示す縦断面図である。図４は、吐水装置１の第一辺部１１におけるＹ方向の縦断面図を示している。吐水装置１は、膜状水形成機構３を備える。膜状水形成機構３は、給水路４と連結される下部材３６と、下部材３６の上方に設けられるカバー部材５と、隔壁３０とにより構成されている。膜状水形成機構３は、第一辺部、第二辺部及び第三辺部で同様の構造を有する。したがって、第一辺部、第二辺部及び第三辺部の膜状水形成機構３は図４と同様の断面形状を有する。以下では、第一辺部１１を例に膜状水形成機構３の構造を説明する。
【００３３】
下部材３６は、フランジ１０２に形成されたＺ方向に貫通する貫通孔１０２１に、下端管３６０が挿通されている。下端管３６０とフランジ１０２の貫通孔１０２１との間にはシール材１０６が設けられている。
【００３４】
下部材３６には、Ｚ方向に貫通する貫通部３６１が形成されている。貫通部３６１のＹ方向の両端部には、内上端部３６３と外上端部３６２とを有する。内上端部３６３は、貫通部３６１のＹ方向の端部から内側壁３６４に向かって上方に傾斜する傾斜面が形成されている。外上端部３６２は、貫通部３６１のＹ方向の端部から外側壁３６５まで水平面が形成されている。外上端部３６２は、内上端部３６３より高い位置に水平面を有する。
【００３５】
カバー部材５は、下部材３６の外上端部３６２上に配置される。カバー部材５の下面には、下突出部５１と、凹部５２と、傾斜部５３と、外カバー部５４とを備える。下突出部５１は、下部材３６の外上端部３６２と当接する位置に下方に突出している。凹部５２は、下突出部５１とＹ方向に隣接し、上方に窪んで形成されている。傾斜部５３は、凹部５２における下突出部５１とは反対側の端部に隣接し、凹部５２との境界部から内側壁５５に向かって上方に傾斜している。外カバー部５４は、下突出部５１よりもＹ方向の外側に、下部材３６と離間して設けられ、下部材３６よりも下方に延出する平板状部である。
【００３６】
貫通部３６１の開口上部を覆うように隔壁３０が配置されている。凹部５２は、下部材３６の貫通部３６１及び隔壁３０の上方に配置されている。外上端部３６２に下突出部５１が当接して配置される。下部材３６の外側壁３６５は外カバー部５４に覆われている。
【００３７】
傾斜部５３は、下部材３６の内上端部３６３とＺ方向に対向配置され、傾斜部５３と下部材３６の内上端部３６３との間に絞り流路３５が形成される。下部材３６の内側壁３６４とカバー部材５の内側壁５５との間の隙間が吐水口２となる。
【００３８】
膜状水形成機構３は、隔壁３０で隔てられて上下方向に並ぶ第一室３１と第二室３２とを備える。第一室３１及び第二室３２は吐水口２に沿ってＸ方向及びＹ方向に延設されている。隔壁３０よりも下方の貫通部３６１の空間が第一室３１となり、隔壁３０及び凹部５２により囲まれた空間が第二室３２となる。
【００３９】
図４に示すように、第一室３１の下端部には、給水路４と接続される流入口３３が形成されている。流入口３３の開口面積は第一室３１の平面積より小さい。第二室３２には、吐水口２と連通する排出口３４が形成されている。排出口３４と吐水口２との間には、絞り流路３５が形成されている。
【００４０】
隔壁３０には、上下方向に貫通する連通部４２が形成されており、連通部４２を介して第一室３１と第二室３２とが連通している。連通部４２は、第一室３１及び第二室３２の平面積に対して十分に小さい開口である。連通部４２は、膜状水形成機構３の延設方向（Ｘ方向ならびにＹ方向）に間隔を開けて複数形成されている。
【００４１】
図５は膜状水形成機構３の構成を模式的に示す縦断面図である。図５を参照して、膜状水形成機構３の作用を説明する。流入口３３を介して給水路４から供給される湯は、第一室３１内に広がり満水となり、連通部４２を介して第二室３２に流入する。第二室３２に流入した湯は、排出口３４から絞り流路３５を介して吐水口２に向かって流れる。膜状水形成機構３では、流入口３３から吐水口２までの湯の流路における以下の作用により、膜状の水流Ｗが吐水口２から吐水される。
【００４２】
まず、隔壁３０が設けられているため、流入口３３から第一室３１に流入した湯が一気に第二室３２に流入せず、Ｚ方向に流入した湯は、第一室３１内で水勢が分散される。続いて、第一室３１内で分散された湯は連通部４２を経由して第二室３２に流入する。連通部４２の開口面積は、第一室３１及び第二室３２の平面積に対して十分に小さいため、第一室３１内の水勢の影響を受けずに、所定の水勢で第二室３２に流入する。第二室３２においても、第一室３１と同様に湯の水勢が分散され、第二室３２内での水勢のムラを低減させる。
【００４３】
次に、絞り流路３５は、スリット状の吐水口２に連通し、Ｚ方向への隙間が小さく、水平方向に広い扁平状の空間である。そのため、第二室３２内で水勢が分散された湯が、第二室３２の容積に対して十分に小さい開口である排出口３４に流入し、絞り流路３５内で水圧が上昇し、吐水口２への水勢が増す。絞り流路３５及び吐水口２はＸ−Ｙ方向（水平方向）に比べてＺ方向の隙間が小さいため、高水圧の湯が吐水口２から吐水されると、膜状の水流Ｗが水平方向に流出する。
また、連通部４２が間隔を開けて複数形成されているため、吐水口２から吐出される水勢は、吐水口２が延びる方向にムラがなく均質な膜状の水流Ｗが形成される。
【００４４】
図６及び図７に、吐水装置１における膜状水形成機構３の配置例を示す。図６に示すように、膜状水形成機構３は、第一辺部１１と、第二辺部１２と、第三辺部１３とに連続して設けられていてもよい。また、図７に示す変形例のように、第一辺部１１、第二辺部１２、及び第三辺部１３にそれぞれ独立して膜状水形成機構３を設けてもよい。この場合、３つの膜状水形成機構３の各絞り流路３５を水平方向に連通させてもよいし、個別に吐水口２に接続してもよい。また、各辺部１１，１２，１３に設けられる膜状水形成機構３は同一系統で制御してもよいし、個別に制御してもよい。
【００４５】
吐水口２から吐水される膜状の水流Ｗの水勢は第一吐水口２１、第二辺部１２、及び第三辺部１３について同じ水勢としてもよいし、それぞれ異なる水勢としてもよい。膜状水形成機構３内の流量やスリットのＺ方向の隙間を調整して、各吐水口２１，２２，２３で異なる水勢とすることができる。例えば、第一辺１０１１のＸ方向の寸法が大きい浴槽本体１０１の場合、第二吐水口２２及び第三吐水口２３は、第一吐水口２１の水勢よりも水勢を高め、第二吐水口２２及び第三吐水口２３から吐水される膜状の水流Ｗが入浴者に確実に掛かるようにしてもよい。
【００４６】
本実施形態に係る吐水装置１によれば、吐水口２が浴槽本体１０１の上縁部の形状に沿った形状で形成されており、膜状水形成機構３により吐水口２から平面視略Ｕ字型の膜状の水流Ｗが吐水される。この結果、膜状の水流Ｗが広範囲で吐水され、リラックス効果の高い吐水装置１を提供できる。
【００４７】
本実施形態に係る吐水装置１によれば、第一吐水口２１のＸ方向（幅方向）の両端部から、第一方向Ｘと交差する方向Ｙに延びる第二吐水口２２及び第三吐水口２３を有する。この吐水口２は、最大離間距離Ｌ１と奥行方向における寸法Ｌ２，Ｌ３との比がＬ１：Ｌ２（Ｌ３）＝１：０．１５〜０．７の範囲であるため、吐水口２から吐水される平面視略Ｕ字型の膜状の水流Ｗが、幅方向Ｘに対して奥行方向Ｙが十分に長く、入浴者の肩から腕にかけて十分に膜状の水流Ｗを掛けることができる。この結果、膜状の水流Ｗが入浴者の首から腕までの広範囲に吐水され、リラックス効果の高い吐水装置１を提供できる。
【００４８】
本実施形態に係る吐水装置１を備えた浴槽装置１００によれば、第一吐水口２１から膜状の水流Ｗが浴槽本体１０１の第一辺１０１１の全域に吐出され、第二吐水口２２及び第三吐水口２３からも膜状の水流Ｗが吐出される。この結果、膜状の水流Ｗが浴槽本体１０１の上縁部から広範囲で平面視略Ｕ字状に吐出される。特に、入浴者が第一内壁１０３に背を近付けて入浴した場合に、入浴者の首から肩の全域に、第一吐水口２１から膜状の水流Ｗを掛けることができる。したがって、膜状の水流Ｗが広範囲で吐水され、リラックス効果の高い浴槽装置１００を提供できる。例えば、入浴者の首周辺や肩のみならず、腕側にも膜状の水流Ｗが掛かると、より高いリラックス効果が得られる。この他、主に下半身を浴槽内の湯に浸ける半身浴の場合、浴室内の温度が低いと上半身が冷える場合がある。本実施形態に係る浴槽装置１００によれば、半身浴時に、湯張り面から出ている首から腕まで広範囲に水流が掛けられるため上半身の保温が可能となる。
【００４９】
上記実施形態では、第二辺部１２と第三辺部１３とが略等しい長さである例を示したが、第二辺部１２と第三辺部１３とが異なる長さであってもよい。第二辺部１２と第三辺部１３とを異なる長さとする場合、洗い場に近い側に設ける辺部を短くすると、洗い場と浴槽間を移動し易い。また、第二辺部１２と第三辺部１３とが略平行に延びる例を示したが第二吐水口２２と第三吐水口２３とが互いに向き合う方向に開口していればよく、第二辺部１２と第三辺部１３とは平行に配置されていなくてもよい。
【００５０】
上記実施形態では、第一吐水口２１、第二吐水口２２、及び第三吐水口２３は、内側側面１０に連続して形成されている吐水口２の例を示したが、吐水口２は、三方向に延びて形成されて、膜状水形成機構により吐水口から平面視略Ｕ字型の膜状の水流Ｗが吐水可能に構成されていればよい。したがって、吐水口は、第一吐水口と第二吐水口と第三吐水口とが連続して形成される構成に限定されない。例えば、第一辺部と第二辺部との角部、ならびに第一辺部と第三辺部との角部において吐水口が設けられず、第一吐水口と第二吐水口、ならびに第一吐水口と第三吐水口の各端部が近接位置に配置されて各吐水口が独立して形成され、各吐水口から吐水された水流が平面視略Ｕ字型の膜状の水流Ｗになる構成であってもよい。
【００５１】
上記実施形態では、平面視略長方形の浴槽本体１０１の例を示したが、浴槽の形状はこれに限定されない。例えば、平面視形状が正方形や長楕円形状、長丸円形状（図８参照）の浴槽であってもよく、吐水装置は、浴槽の上縁部の形状に応じて第一辺部、第二辺部、及び第三辺部を設ければよい。平面視形状が正方形の浴槽の場合、任意の一辺を第一辺とし、第一辺の幅方向両端部から他の方向に延びる辺を第二辺及び第三辺とし、この平面視形状に対応する吐水口を有する吐水装置とすればよい。また、平面視形状が長楕円形状の浴槽の場合、長辺方向の端部を湾曲する縁部を第一辺とし、短辺方向の両端に対向する縁部をそれぞれ第二辺、第三辺とし、この平面視形状に対応する吐水口を有する吐水装置とすればよい。
【００５２】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００５３】
１  吐水装置
２  吐水口
３  膜状水形成機構
４  給水路
２１  第一吐水口
２２  第二吐水口
２３  第三吐水口
１００  浴槽装置
１０２  フランジ
【図１】
2019170799.tif 000003
【図２】
2019170799.tif 000004
【図３】
2019170799.tif 000005
【図４】
2019170799.tif 000006
【図５】
2019170799.tif 000007
【図６】
2019170799.tif 000008
【図７】
2019170799.tif 000009
【図８】
2019170799.tif 000010